(57)【要約】      （修正有）【課題】構造が単純で、コストを低減でき、取付けが簡単、把手によるドアの開きが容易なサーバーコンピュータのキャビネットドア把手装置の提供。【解決手段】サーバーコンピュータのキャビネットドア把手装置において、把手台、把手、回転軸アクセサリ、およびロックより構成する。その特徴は回転軸アクセサリは一つのＹ形固定ピン、一つの弾性部材、２枚のワッシャーおよび噛み合わせシートにより、弾性部材とＹ形固定ピンを順番に把手と回転軸接続の回転軸孔に接続しておく、ロックを把手を固定する固定溝に取付け、Ｙ形固定ピンの固定端を把手台の回転孔に挿入した上、ワッシャーと噛み合わせシートを挿入して固定する。前述の構造により、把手はロックを解錠した後、把手は把手台より飛び出して、把手の揺動を容易にする。【選択図】図３
0003118290.tif 000002
【実用新案登録請求の範囲】
【請求項１】
把手台、把手、回転軸アクセサリおよびロックより構成された把手構造体であるサーバーコンピュータのキャビネットドア把手装置において、
該把手台は、長い楕円形状を有するものとし、その中央部に把手収容溝を設け、把手収容溝の底部に回転孔およびロック孔を設け、
該把手は、その形状と大きさを把手台の把手収容溝と同様に設け、その背面に長い溝を設け、その頂部の回転軸接続端両側に回転軸接続孔を設け、底部の固定端に固定溝を設け、
該回転軸アクセサリは、Ｙ形固定ピン、弾性部材、２枚のワッシャーと噛み合わせシートを包含するものとし、そのＹ形固定ピンの頂点端面に球形状を設け、中央部に弾性部材取り付けるための開放溝を設け、側面から見たときＹ字型を呈するようにし、弾性部材をＹ形固定ピンの開放溝に取付けて、Ｙ形固定ピンと合わせて把手の回転軸接続端の回転軸接続孔に接続し、
該ロックは、把手固定端の固定溝に取付け、Ｙ形固定ピンの底部を把手台の回転孔を通してから、ワッシャーと噛み合わせシートを挿入し、固定しておき、
以上を特徴とする、サーバーコンピュータのキャビネットドア把手装置。
【考案の詳細な説明】
【技術分野】
【０００１】
本考案は一種のサーバーコンピュータのキャビネットドア把手装置、特に産業用コンピュータキャビネットの正面に取り付けるドアの把手に関わるもので、把手自動的に把手台より飛び出して把手の揺動を容易にする。その構造が単純で、コストを低減できるほか、取付けが簡単、把手によるドアの開きは容易などの長所がある。
【背景技術】
【０００２】
通常、産業用コンピュータは一つの大きいキャビネットに取り付けて、部外者による操作または誤操作を防止するため、そのキャビネットの正面にロック付きの把手構造ａが設けられている。図１、図２に示すとおり、一つの把手台ａ１、把手ａ２、噛み合わせ構造体ａ３およびロックａ４より構成する。その把手台ａ１はサーバーコンピュータのキャビネット扉の適切位置に取付け、把手ａ２の回転軸接続端ａ２１は把手台ａ１の半球形溝ａ１１に設けて、噛み合わせ構造体ａ３の回転歯車ａ３１より回転軸接続し固定する。その回転歯車ａ３１は把手台ａ１片方の滑り板ａ１２に寄りかかる。滑り板ａ１２上に複数の歯形構造体ａ１２１を設け、その形状、間隔は回転歯車ａ３１に同様である。さらに、滑り板ａ１２他の側面に逆U 形塊状体ａ１２２を設け、コンピュータキャビネット骨組の噛み合わせ部に噛み合わせる。そのロックａ４は二つの部分より構成し、把手ａ２と把手台ａ１に対応した適切な位置に取り付ける。
【０００３】
前述の構造は使用するときに、ロックａ４解錠状態で、把手ａ２を外側に引き出してから回転できる。把手ａ２を旋回により噛み合わせ構造体ａ３の回転歯車ａ３１を連動させ、滑り板ａ１２は垂直方向の一定位置運動を引き起こし、滑り板ａ１２の四方形塊状体ａ１２２をコンピュータキャビネット骨組噛み合わせ部より引き離して、ドア開放機能を実現する。形状が美観、構造が丈夫で、揺動運動によりドア開放の実用性と目的を果たせる。しかし、その構造が複雑で、部品が多いため、製造するとき、その密着性を注意しなければならない。生産のコストアップおよび困難度があるため、改良の必要がある。
【考案の開示】
【考案が解決しようとする課題】
【０００４】
本考案の主な目的は、一種の把手が把手台より自動に飛び出して、把手は容易に握り、キャビネットドア把手が容易に揺動運動操作可能な構造を提供し、その構造が簡単で、生産コストを軽減し、取付け簡単のほか、把手は容易に握り、キャビネットドア把手が容易に揺動運動操作により、ドアを開放する長所がある。
【０００５】
前述の目的を実現するため、本考案のサーバーコンピュータのキャビネットドア把手装置構造は、主に把手台、把手、回転軸アクセサリ、およびロックより構成し、その回転軸アクセサリは、一つのＹ形固定ピンと一つの弾性部材を含まれる。２枚のワッシャーと噛み合わせシート、そのＹ形固定ピンの頂点端面に球形状を設け、中央部に弾性部材取り付けるための開放溝を設け、側面から見たときＹ字型を呈し、弾性部材をＹ形固定ピンの開放溝に取付けて、Ｙ形固定ピンと合わせて把手の回転軸接続端の回転軸接続孔に接続する。ロックは把手固定端の固定溝に取付け、Ｙ形固定ピンの底部を把手台の回転孔を通してから、ワッシャーと噛み合わせシートを挿入し、固定しておく。
【０００６】
前述の構造は取り付けるとき、把手構造体の把手台をサーバーコンピュータのキャビネットドアすそ部に設ける把手孔に取り付けて、ドア把手構造体の噛み合わせシートをその扉の背面より突き出して設け、噛み合わせシートの噛み合わせ部をコンピュータサーバーキャビネットの垂直骨組に噛み合わせて、固定する。取付けが速く、非常に便利である。さらに、把手はロック解錠後、自動に飛び出すため、使用するとき、把手を揺動操作し、噛み合わせシートを垂直骨組から引き離し、サーバーコンピュータのキャビネットドア開放の目的を実現する。その構造は簡単のほか、生産コストも削減できる。その上、Ｙ形固定ピン頂点端面の球形状設計により、プラスチックと接触する箇所の摩擦が少なくなり、より簡単、便利に使用できる。
【課題を解決するための手段】
【０００７】
請求項１の考案は、把手台、把手、回転軸アクセサリおよびロックより構成された把手構造体であるサーバーコンピュータのキャビネットドア把手装置において、
該把手台は、長い楕円形状を有するものとし、その中央部に把手収容溝を設け、把手収容溝の底部に回転孔およびロック孔を設け、
該把手は、その形状と大きさを把手台の把手収容溝と同様に設け、その背面に長い溝を設け、その頂部の回転軸接続端両側に回転軸接続孔を設け、底部の固定端に固定溝を設け、
該回転軸アクセサリは、Ｙ形固定ピン、弾性部材、２枚のワッシャーと噛み合わせシートを包含するものとし、そのＹ形固定ピンの頂点端面に球形状を設け、中央部に弾性部材取り付けるための開放溝を設け、側面から見たときＹ字型を呈するようにし、弾性部材をＹ形固定ピンの開放溝に取付けて、Ｙ形固定ピンと合わせて把手の回転軸接続端の回転軸接続孔に接続し、
該ロックは、把手固定端の固定溝に取付け、Ｙ形固定ピンの底部を把手台の回転孔を通してから、ワッシャーと噛み合わせシートを挿入し、固定しておき、
以上を特徴とする、サーバーコンピュータのキャビネットドア把手装置としている。
【考案の効果】
【０００８】
本考案のサーバーコンピュータのキャビネットドア把手装置は、その把手台と球形状体回転軸アクセサリの設計により、構造を簡素化し、コストを低減し、回転運動の摩擦力を有効に軽減し、取付けが速い、便利および把手は容易に握り、揺動運動によりドアを開放できる。
【考案を実施するための最良の形態】
【０００９】
本考案の構造、装置および特徴について、一つの好ましい実施例に図式と合わせて以下のとおり詳細説明する。
【００１０】
図３、図４に示すものは、本考案のコンピュータサーバーキャビネットドアの改良構造であり、その把手構造体１は主に把手台１０、把手２０、回転軸アクセサリ３０およびロック４０より構成する。
【００１１】
長い楕円形の把手台１０、その真ん中場所に把手収容溝１１を設け、その把手収容溝１１の底部に回転孔１１ａとロック孔１１ｂを設ける。
【００１２】
把手２０は把手台１０の把手収容溝１１と同じ大きさと形状を設け、その背面に長方形溝を設け、その天面の回転軸接続端２１両側とも回転軸接続孔２１ａを設け、底部の固定端２２に固定溝２２ａを設ける。
【００１３】
回転軸アクセサリ３０はＹ形固定ピン３１、弾性部材３２、２枚のワッシャー３３および噛み合わせシート３４を設け、Ｙ形固定ピン３１の天面は球状体であり、中央分弾性部材３２を装入する開放溝３１ａを設け、その側面より見たとき、Ｖ字型に近い形状を示す。弾性部材３２をＹ形固定ピン３１の開放溝３１ａに取付け、Ｙ形固定ピン３１と合わせて把手２０の回転軸接続端２１の回転軸接続孔２１ａに取付ける。ロック４０を把手２０固定端２２の固定溝２２ａに取付けてから、Ｙ形固定ピン３０底面を把手台１０の回転孔１１ａに取付け、ワッシャー３３と噛み合わせシート３４を入れて固定しておく。
【００１４】
図５に示すものは本考案使用状態の概略図である。本考案のドア把手構造体１をコンピュータサーバーキャビネット２の扉２ａすそ部に設けた把手孔２ａ１に取付けて、ドア把手構造体１の噛み合わせシート３４をその扉２ａの背面に突き出して設ける。噛み合わせシート３４の噛み合わせ部３４ａをコンピュータサーバーキャビネット２の垂直骨組２ｂに噛み合わせて、取付けが便利のほか、把手２０はロック４０が解錠後に自動に飛び出すため、使用するとき、その回転操作は非常に便利である。
【００１５】
以上に説明したとおり、本考案のサーバーコンピュータのキャビネットドア把手装置は、その把手台と球形状体回転軸アクセサリの設計により、構造を簡素化し、コストを低減し、回転運動の摩擦力を有効に軽減し、取付けが速い、便利および把手は容易に握り、揺動運動によりドアを開放できる。
【図面の簡単な説明】
【００１６】
【図１】公知技術の背面図である。
【図２】公知技術の側面図である。
【図３】本考案の立体分解図である。
【図４】本考案の立体組立図である。
【図５】本考案使用状態の概略図である。
【符号の説明】
【００１７】
１  把手構造体
２ａ  とびら
２ｂ  垂直骨組
２０  把手
４０  ロック
１１ａ  回転孔
２１  回転軸接続端
２２  固定端
３１  Ｙ形固定ピン
３２  弾性部材
３４  噛み合わせシート
２  サーバー・キャビネット
２ａ１  把手孔
１０  把手台
３０  回転軸アクセサリ
１１  把手収容溝
１１ｂ  ロック孔
２１ａ  回転軸接続孔
２２ａ  固定溝
３１ａ  開放溝
３３  ワッシャー
【図１】
0003118290.tif 000003
【図２】
0003118290.tif 000004
【図３】
0003118290.tif 000005
【図４】
0003118290.tif 000006
【図５】
0003118290.tif 000007